(57)【要約】  移動無線装置に送信される広告インプレッションに埋め込まれた電話番号に関するコールスルーイベントを取得して報告するための構成について説明する。コールスルーイベントは、広告インプレッションに埋め込まれた電話番号に移動装置から電話がかけられたときに発生すると言われている。システムは、装置上に、コールスルーイベントに関するデータを取得し、取得した１又はそれ以上の電話番号に関するデータをネットワークを介してサーバへ通信するコールスルー検出器を含む。サーバは取得したデータを様々な移動装置から収集し、これらを移動装置へ送信された広告と相関付けることができる。装置から送信されるコール詳細情報記録は、例えば、時刻又は装置の位置を含む、移動装置から電話をかけた状況に関する詳細情報を含むことができる。【選択図】図１
2011527148.tif 000002
【特許請求の範囲】
【請求項１】
移動無線装置におけるコールスルーイベントを取得して報告する方法であって、
広告電話番号に関する、時刻、装置の位置、及びアプリケーションの状態のうちの少なくとも１つを含む収集すべきコールイベント情報を指示する第１のメッセージを前記装置において受信するステップと、
前記広告電話番号を含む広告インプレッションを前記装置において受信するステップと、
前記広告電話番号を含む前記広告インプレッションを表示するステップと、
前記装置から前記広告電話番号にコールするステップと、
前記コールに関する前記コールイベント情報を収集するステップと、
前記コールイベント情報を含む第２のメッセージを送信するステップと、
含むことを特徴とする方法。
【請求項２】
前記第１のメッセージが、前記第２のメッセージをいつ送信すべきかを指示し、前記第２のメッセージが、前記第１のメッセージに基づいて送信される、
ことを特徴とする請求項１に記載の方法。
【請求項３】
前記第１のメッセージが認証済みのサーバから送信され、前記第２のメッセージが前記認証済みのサーバへ送信される、
ことを特徴とする請求項１に記載の方法。
【請求項４】
前記サーバ及び前記装置を相互に認証するステップを含む、
ことを特徴とする請求項３に記載の方法。
【請求項５】
前記コールイベント情報を収集するステップが、前記装置のメモリからコール詳細記録を読み取るステップを含む、
ことを特徴とする請求項１に記載の方法。
【請求項６】
前記コールイベント情報を収集するステップが、前記装置の加入者識別モジュールからコール詳細記録を読み取るステップを含む、
ことを特徴とする請求項１に記載の方法。
【請求項７】
前記コールイベント情報を収集するステップが、装置のメモリに記憶されたコールデータ記録、加入者識別モジュールに記憶されたコールデータ記録、及び装置のクロックのうちの少なくとも１つから時刻を判定するステップを含む、
ことを特徴とする請求項１に記載の方法。
【請求項８】
前記コールイベント情報を収集するステップが、セル識別子、及び全地球測位システムの座標源の少なくとも一方から前記装置の位置を判定するステップを含む、
ことを特徴とする請求項１に記載の方法。
【請求項９】
前記コールイベント情報を収集するステップが、前記広告電話番号に対して前記コールが行われたときにいずれのアプリケーションがアクティブであったかについての指標を含む前記アプリケーションの状態を判定するステップを含む、
ことを特徴とする請求項１に記載の方法。
【請求項１０】
前記コールイベント情報を収集するステップが、前記広告電話番号に対して前記コールが行われた以前の時間にいずれのアプリケーションがアクティブであったかについての指標を含む前記アプリケーションの状態を判定するステップを含む、
ことを特徴とする請求項１に記載の方法。
【請求項１１】
前記第２のメッセージが、
所定の間隔で定期的に、
所定の間隔で定期的にではあるが、少なくとも１つのコールスルーイベントが検出されたことを条件に、
所定数のコールスルーイベントが検出された後に、
要求に応答して、
からなる一群のポリシから選択されたポリシに基づいて送信される、
ことを特徴とする請求項２に記載の方法。
【請求項１２】
移動無線装置におけるコールスルーイベントを取得して報告する方法であって、
広告電話番号に関する、時刻、装置の位置、及びアプリケーションの状態のうちの少なくとも１つを含む収集すべきコールイベント情報を指示する第１のメッセージを前記装置へ送信するステップと、
前記装置に表示させるための前記広告電話番号を含む広告インプレッションを前記装置へ送信するステップと、
前記装置において収集された、前記装置から前記広告電話番号に行われたコールに関する前記コールイベント情報を含む第２のメッセージを前記装置から受信するステップと、
を含むことを特徴とする方法。
【請求項１３】
前記第１のメッセージが、前記第２のメッセージをいつ送信すべきかを指示し、前記第２のメッセージが、前記第１のメッセージに基づいて送信される、
ことを特徴とする請求項１２に記載の方法。
【請求項１４】
前記第１のメッセージが認証済みのサーバから送信され、前記第２のメッセージが前記認証済みのサーバへ送信される、
ことを特徴とする請求項１２に記載の方法。
【請求項１５】
前記サーバ及び前記装置を相互に認証するステップを含む、
ことを特徴とする請求項１４に記載の方法。
【請求項１６】
前記アプリケーションの状態が、前記広告電話番号に対して前記コールが行われたときにいずれのアプリケーションがアクティブであったかについての指標を含む、
ことを特徴とする請求項１２に記載の方法。
【請求項１７】
前記アプリケーションの状態が、前記広告電話番号に対して前記コールが行われた以前の時間にいずれのアプリケーションがアクティブであったかについての指標を含む、
ことを特徴とする請求項１２に記載の方法。
【請求項１８】
前記第２のメッセージが、
所定の間隔で定期的に、
所定の間隔で定期的にではあるが、少なくとも１つのコールスルーイベントが検出されたことを条件に、
所定数のコールスルーイベントが検出された後に、
要求に応答して、
からなる一群のポリシから選択されたポリシに基づいて送信される、
ことを特徴とする請求項１３に記載の方法。
【請求項１９】
前記受信したコールイベント情報を処理するステップと、
前記処理したコールイベント情報を広告エンティティに提供するステップと、
を含むことを特徴とする請求項１２に記載の方法。
【発明の詳細な説明】
【技術分野】
【０００１】
本発明は移動無線通信に関し、より具体的には移動無線通信装置に送信する広告などに関する。
【背景技術】
【０００２】
インターネット又はワールドワイドウェブは、商品及びサービスを販売するための強力な媒体になってきた。インターネットは、コンテンツ及び電子商取引サイトへのアクセスを提供し、人々は商品及びサービスに関する情報を取得し、これらを見て購入することができる。通常、ユーザは、インターネット上の様々なサイトのアドレスを知り、又はユーザが探している物を提供しているサイトを検索エンジンの助けを借りて検索することにより、これらのサイトに接続する。インターネット上で表示される多くのウェブページは１又はそれ以上の広告を表示する。このような広告の表示は、多くのウェブサイトのビジネスモデルの一部である。コンテンツサイト、検索エンジン、ソーシャルネットワーク、及び電子商取引サイトなどの、ワールドワイドウェブ上の多くのビジネスモデルは、ウェブページ上のコンテンツに並んで表示される広告に依拠している。
【発明の概要】
【発明が解決しようとする課題】
【０００３】
既存のウェブサイトには、サイトを閲覧したユーザに関する情報を記録するものが多く、またオンラインサイトの広告指標を測定するための複数の技術が存在する。多くの場合、ユーザに関する情報は、クライアント端末内に「クッキー」の形で保持された状態を通じて取得される。例えば、クライアントのＩＰアドレス及び要求元のウェブサイトを記録することにより、要求の出どころなどの追加情報を収集することができる。
【０００４】
広告インプレッションがウェブページの一部として示され、ユーザがこれをクリックすることによって広告に応答した場合、このイベントは「クリックスルー」と呼ばれる。クリックスルーの発生時に行われる接続は、広告主に価値あるフィードバックを与えることができる。クリックスルーにより、広告インプレッションをクリックしたユーザ、及び接続が行われた元のウェブサイトに関する情報が得られる。このクリックスルーデータを調査することにより、広告の成功を容易に判定することができる。このようなデータは、オンライン広告の影響力を判定するための有効な手段となってきた。しかしながら、ユーザが広告インプレッション内のリンクをクリックする代わりに、広告インプレッションの一部として示される電話番号に電話をかけた場合、クリックスルーイベントは発生せず、従ってクリックスルーデータを入手することができない。
【０００５】
データ接続をサポートする移動無線通信の出現とともに、インターネットの閲覧に移動無線装置が使用されている。移動装置上に表示されるコンテンツも広告インプレッションを示し、ユーザはデスクトップ又はラップトップコンピュータを使用する場合と同様にインプレッションをクリックすることができる。しかしながら、移動装置のディスプレイサイズが比較的小さいこと、及び待ち時間の長さ及び帯域幅の狭さに起因して頻繁にネットワーク性能が低くなることを考えると、通常、移動装置のユーザが長時間の閲覧を行うことはない。一般に、移動無線装置からインターネットを閲覧するためのユーザ体験は何となく物足りない。
【０００６】
しかしながら、この乏しいユーザ体験にも関わらず、移動装置を使用したインターネットへのアクセスは増加している。移動無線装置の画面上にコンテンツが表示された場合、ユーザは、並んで表示された広告を見ることが多い。移動無線装置が第一に電話機であるということを考えれば、装置のユーザは、広告インプレッション内に提供されるリンクをクリックするよりも、その中に表示された電話番号に電話をかける可能性の方がはるかに高い。しかしながら、このようなシナリオでは、広告を表示したウェブサイトが、クリックスルーの形で得たであろうはずのフィードバックを得ることがなくなる。
【０００７】
したがって、ユーザが広告インプレッションをクリックする代わりに、ともに表示されている電話番号に電話をかけた場合の広告インプレッションの成功を判定するために、移動無線装置からのコールスルー率を効果的に測るとともに、これを広告インプレッションを送信した又は広告指標の測定に関与するエンティティに提供することが必要とされている。
【課題を解決するための手段】
【０００８】
本発明は、一般にユーザが広告インプレッションをクリックする代わりに広告インプレッションに埋め込まれた電話番号に電話をかけた場合に、移動無線装置に送信した広告インプレッションの成功を判定する上で使用できる情報を収集して提供するための方法及び装置に関する。
【０００９】
１つの例示的な実施形態では、本発明は、ある電話番号への発呼イベントを広告インプレッション内の電話番号の表示と相関付けるための手段を提供する。この相関付けは、無線通信装置上で動作するコールスルー検出器を使用して行われ、この検出器は、装置からの発信コールをモニタし、関心電話番号へのコールを検出し、このようなコールに関する情報を集中サーバなどに提供する。関心電話番号はサーバが指示できるものであり、表向きは装置に送信される広告インプレッションに埋め込まれた電話番号である。コールスルー検出器がサーバに提供した情報を、装置に送信された広告インプレッションに埋め込まれた電話番号と照合することにより、このような広告インプレッションの有効性に関する指標を提供することができる。
【００１０】
さらなる例示的な実施形態では、関心電話番号への発信コールの状況情報をクライアントソフトウェアにより収集してサーバに提供することができる。このような情報として、他の情報項目のなかでも、例えばコールの時刻、コールが行われたときの装置の位置、コールされた番号を含む広告を表示したアプリケーション、及びコール時に又はこの前後に起動していたアプリケーションの詳細を挙げることができる。
【００１１】
本発明による例示的なコールスルー検出器は、上述した情報収集を行い、これをコール詳細情報記録（ＣＤＩＲ）の一部として記録する。ＣＤＩＲをサーバへ送信し、ここで複数の装置からのＣＤＩＲとともにこれを処理して解析することができる。コールスルー検出器は、装置上で実行されるクライアントソフトウェアとして実装することができる。コールスルー検出器は、サーバとのセッションを確立できることが好ましい。
【００１２】
例示的な実施形態では、コールスルー検出器が、装置のメモリから又は装置内の加入者識別モジュール（ＳＩＭ）などから得たコール記録からの発信コール情報を記録する。いすれの場合にも、かけられた電話番号に関する情報を、このコールに関する追加情報で強化することができる。
【００１３】
例示的な実施形態では、要求コール詳細情報（ＲＣＤＩ）メッセージにより、このような情報を収集する必要性が装置に通知される。サーバは、このＲＣＤＩメッセージを、コールスルー検出器とサーバとの間に確立されたセッションの一部として装置上のコールスルー検出器に通信することができる。ＣＤＩＲをどのような頻度で又はいつ送信すべきか、及び／又はＣＤＩＲにどのような情報を含めるべきかに関するポリシをＲＣＤＩメッセージの一部として指示することができる。コールスルー検出器は、このポリシのパラメータを使用して、ＣＤＩＲを準備してサーバへ返送するためのメカニズムを実現することができる。
【００１４】
広告インプレッションを移動装置へ送信する、又は広告インプレッションの一部として電話番号を埋め込む広告エンティティなどにより、コール詳細情報を記録すべき電話番号のリストをサーバに提供することができる。
【００１５】
以下の図面及び詳細な説明から、本発明の上記の及びその他の態様及び特徴が明らかになるであろう。
【図面の簡単な説明】
【００１６】
【図１】本発明を実施できる例示的なシステムのブロック図である。
【図２】コールスルー検出器と、発信コールに関する情報を取得できる可能性のある１又はそれ以上の要素とを含む移動無線装置の概略図である。
【図３】電話番号を含む広告インプレッションを表示するディスプレイを備えた移動無線装置を示す図である。
【図４】サーバにより移動無線装置へ送信される要求コール詳細情報（ＲＣＤＩ）メッセージ内で指示される例示的なパラメータを示す表である。
【図５】例示的なコール詳細情報記録（ＣＤＩＲ）及び対応する装置の発信コールログの内容を示す図である。
【発明を実施するための形態】
【００１７】
図１は、本発明を実施できる例示的なシステム１００のブロック図である。システム１００では、移動無線装置１２０が、（基地局、無線ＬＡＮノードなどの）何らかの無線インターフェイス１１０を介し通信ネットワーク１３０を通じて通信を行う。無線通信リンクの例としては、以下に限定されるわけではないが、ＧＰＲＳ、ＥＶＤＯ、ＷＬＡＮ、ＷｉＭＡＸ、ＬＴＥなどが挙げられる。移動無線装置１２０は、これらの通信ベアラの１又はそれ以上をサポートすることができる。また、ネットワーク１３０には、例えば、装置管理サーバ、コンテンツサーバなどのサーバ１４０も結合される。サーバ１４０は、サーバ１４０が移動無線装置１２０とのデータセッションを確立できるようにする１又はそれ以上の無線接続モジュール１４５をサポートする。
【００１８】
移動無線装置１２０には、本発明によるコールスルー検出器１２５が実装される。コールスルー検出器１２５は、例えば移動無線装置１２０上で実行される（ソフトウェア、ファームウェア、プラグインなどの）プログラムとして実装することができる。コールスルー検出器１２５は、サーバ１４０と通信して、このサーバとセッションを行うことができる。
【００１９】
サーバ１４０はまた、例えば、コンテンツサーバのネットワーク、ウェブサイト、広告構成及び配信サーバ、及び広告を作成して移動無線装置に提供する一部又は全ての要素を含むことができるオンライン広告インフラストラクチャ１５０ともやりとりする。サーバ１４０は、これ自体が広告インフラストラクチャ１５０の一部であってもよいが、説明を一般化するために、図１では独自のブロックによって示している。
【００２０】
広告主１６０も、ネットワーク１３０に結合した形で示している。例えばベンダーなどの広告主１６０は、オンライン広告の題材である商品又はサービスに関連する。広告主１６０には、オンライン広告又は広告インプレッションに埋め込まれた（コンテンツとして又はリンクの形で表示されるような）電話番号（ｔｅｌ＃）に音声電話をかけることなどにより接触することができる。
【００２１】
図１は、本発明の例示的な実施形態による様々なシステム要素間のやりとりを示している。矢印１で示すように、要求コール詳細情報（ＲＣＤＩ）メッセージがサーバ１４０からネットワーク１３０を介して無線装置１２０へ送信される。以下でより詳細に説明するように、このＲＣＤＩメッセージは、装置のコールスルー検出器１２５に、１又はそれ以上の広告電話番号に関するコールスルーイベントを１又はそれ以上のパラメータに従って記録をするように指示する。サーバ１４０及び装置１２０は、ＲＣＤＩメッセージが送信される前に相互に認証されることが好ましい。認証は、サーバ及びコール検出プログラムが互いに認識しているパスワード又は証明書の交換などのいずれかの適当な手続きに基づくことができる。
【００２２】
これよりも若干後の時点で、矢印２で示すように、関心電話番号を含むオンライン広告が広告インフラストラクチャ１５０から装置１２０へ送信される。矢印３で示すように、装置１２０からこの電話番号に電話をかけることができる。この電話番号は、オンライン広告の題材である商品又はサービスに関連する広告主１６０に関連するものである。
【００２３】
ある時点で、矢印４で示すように、移動装置１２０からサーバ１４０へコール詳細情報記録（ＣＤＩＲ）が送信される。以下でより詳細に説明するが、ＣＤＩＲは、（サーバ１４０からのＲＣＤＩメッセージを介して）装置に記録するように指示した１又はそれ以上の電話番号に関するコールスルー情報を含む。ＣＤＩＲは、コールスルーイベントが発生したかどうかに関わらず送信してもよく、或いはコールスルーイベントが発生した場合にのみ送信してもよい。以下で説明するように、ＣＤＩＲの作成及び送信は、ＲＣＤＩメッセージ内で指示されたパラメータに従って行うことができる。
【００２４】
矢印５で示すように、サーバ１４０は、コールスルーデータ又はここから取り出したデータをオンライン広告インフラストラクチャ１５０に提供する。オンライン広告キャンペーンの有効性を有意義に評価できるようにするために、例えば、サーバが移動装置から十分なコールスルーデータを蓄積した時点でこれを行うことができる。このデータは、定期的に、要求時に、あるイベント又は状態の発生時に、或いはいずかの適当な構成に基づいて提供することができる。
【００２５】
図２は、１又はそれ以上の一般に知られている無線ベアラをサポートする移動無線装置２２０の概略図である。無線ベアラは、移動無線装置が音声又はデータ接続を使用してネットワークと通信できるようにする。
【００２６】
装置２２０には、コールスルー検出器２２５が実装される。コールスルー検出器２２５の機能は、無線装置２２０から行われた発信コールのリストを判定することである。コールスルー検出器２２５は、一般に多くの無線装置で見られるコールログなどの、装置２２０に記憶されたデータを読み込むことを含むいくつかの方法でこの情報を取得することができる。一般的なコールログは、不在コール、着信コール及び発信コールなどの番号のリストを記憶する。コールスルー検出器２２５にとって関心があるのは、発信番号ログ２３０に記録された発信コールである。
【００２７】
コールスルー検出器２２５が発信コールに関する情報を取得できる別の方法には、装置のコール活動を記録してコール詳細記録（ＣＤＲ）２５０を生成する、多くの移動無線装置で見られる加入者識別モジュール（ＳＩＭ）アプレット２４０とやりとりする方法がある。例示的な実施形態では、コールスルー検出器２２５が、ＳＩＭアプレット２４０とやりとりして発信コール情報を取得する。
【００２８】
コールスルー検出器２２５は、いずれかの関心電話番号、すなわちコールスルー検出器がＲＣＤＩメッセージ内でコールスルーイベントを記録するように指示された番号にコールが行われたかどうかをこの発信コール情報から判定する。コールが行われていた場合、コールスルー検出器２２５は、ＲＣＤＩメッセージ内で指示されたあらゆる状況情報を収集することもできる。
【００２９】
コールスルー検出器２２５が収集できる状況情報の項目には、関心電話番号に電話がかけられた時点に装置上で起動しているアプリケーションのリストが含まれる。図３は、いくつかのアプリケーション（ＡＰＰ１〜ＡＰＰ４）を（メモリ３６０などに）インストールするとともに、本発明によるコールスルー検出器３２５を実装する移動無線装置３２０の概略図である。図３では、ＡＰＰ３がアクティブであり、装置のディスプレイ３７０上に電話番号を含む広告を表示している。
【００３０】
コールスルー検出器３２５が、関心電話番号に関するＲＣＤＩメッセージを受信済みであり、装置からこの（発信コールログに存在する電話番号などの）電話番号に電話がかけられたと判定した場合、コールスルー検出器３２５は、ＲＣＤＩメッセージで指示されたパラメータに従ってＣＤＩＲ内の発信コール番号をサーバ１４０へ送信する。ＲＣＤＩメッセージが、かけられた番号に関するアプリケーションの使用状況を追跡すべきである旨を指示する場合、コールスルー検出器３２５は、ＣＤＲＩ内のアクティブなアプリケーションの識別情報も送信する。コールスルー検出器は、オペレーティングシステムにより提供されるアプリケーションプログラミングインターフェイス（ＡＰＩ）を介して、いずれのアプリケーションがアクティブであるかに関する情報を取得することができる。このようなアプリケーションに関する（バージョン、作者などの）追加情報を収集し、ＣＤＩＲに含めて提供することもできる。
【００３１】
コールスルーイベントの発生時に通常アクティブであると思われるアプリケーションにウェブブラウザがある。また、（Ｆａｃｅｂｏｏｋ、Ｇｏｏｇｌｅｍａｐｓなどの）特定のウェブサイトとやりとりするためのアプリケーションもアクティブである可能性がある。例えば図３のシナリオでは、関心電話番号を含む広告インプレッションを表示するアプリケーションであるＡＰＰ３がアクティブであると報告され、この電話番号が表示されている間に電話がかけられると推測される。通常は、広告及びこれに含まれる電話番号とは無関係と思われるその他のアプリケーションも存在する。コールスルー検出器３２５がこのようなアプリケーションについて報告するかどうかについては、例えばＲＣＤＩメッセージ内で指示することができ、或いはこのようなアプリケーションを報告するための所定のポリシに従うことができる。
【００３２】
広告インプレッション内に表示された電話番号の表示が終了した後にユーザがこの番号に電話をかけることも考えられる。この場合、コール時にアクティブなアプリケーションは、コールされた番号の表示とは無関係な場合がある。この問題に対処するために、例示的な実施形態では、コールスルー検出器３２５が、コールスルーイベントよりも前の（０〜３０分などの）時間帯の中のいずれかの時点にアクティブであったアプリケーションのリストを保持して報告することができる。例えば、ＲＣＤＩメッセージ内でこの時間帯のサイズを予め定め、又は指示することができる。
【００３３】
図４は、サーバから装置へ送信できる要求コール詳細情報（ＲＣＤＩ）メッセージの例示的な内容を示している。ＲＣＤＩメッセージは情報を求める対象の電話番号のリストを含む。リストされる電話番号の各々には、個々の番号に関連して収集すべき情報に関する１又はそれ以上のオプション又はパラメータが関連付けられる。或いは、全てのリストした電話番号、番号のカテゴリ、又はあらゆる番号のサブセットに関して１つのパラメータセットを指示することもできる。例えば、（はい／いいえなどの）ブーリアンフラグを使用して、装置がいずれの情報を収集すべきかを指示することができる。このような情報として、他の可能性のなかでも、例えば装置の位置、コールの時刻、装置が移動中であるか又は自宅にあるか、（２Ｇ、３Ｇなどの）カバレッジの種類、及びアプリケーションの状態を挙げることができる。ＣＤＩＲを送信する時刻及び方法に関するポリシも、ＲＣＤＩメッセージ内で指示することができる。コールスルー検出器は、ポリシ内のパラメータを使用して、コール詳細情報をサーバへ返送する所望の方法を実現する。図示の例では、最初の番号に関するＣＤＩＲが８時間に１度定期的に送信される。或いは、他の可能性のなかでも、例えばコールスルーイベントの検出時、又は要求時にＣＤＩＲを送信することができる。
【００３４】
ＣＤＩＲは、個々の関心広告番号ごとに、又は複数の番号に対して送信することができる。また、ＣＤＩＲを送信するかどうかは、コールスルーイベントを検出したかどうか、又はコールスルーイベントの閾値を検出したかどうかを条件とすることもできる。或いは、コールスルーイベントが発生したかどうかに関わらずＣＤＩＲを定期的に送信することもできる。ＣＤＩＲをサーバからの要求に応答して送信することもできる。
【００３５】
コールスルー検出器は、例えば装置のメモリに記憶されたコールデータ記録、ＳＩＭに記憶されたコールデータ記録を含む様々なソースから、又はコール発生時に装置のクロックを読み取ることにより、コールの時刻を判定することができる。
【００３６】
コールスルー検出器は、様々な方法で装置の位置を判定することもできる。例えば、コールスルー検出器は、移動装置上で従来の方法で利用できるセル識別子を読み取ることができる。装置が全地球測位システム（ＧＰＳ）対応である場合、又はＧＰＳ装置に結合されている場合、ＧＰＳのＡＰＩを提供して、ここからコールスルー検出器が位置情報を取得することができる。
【００３７】
さらなる例示的な実施形態では、ＲＣＤＩメッセージを複数のサーバから装置へ送信することができ、又は装置にＣＤＩＲを複数のサーバへ送信するように要求することができる。この場合、ＲＣＤＩメッセージが、１又はそれ以上の電話番号に関するＣＤＩＲをどこ（ＩＰアドレスなど）に送信すべきかも指示することが好ましい。
【００３８】
図５は、コールスルー検出器により生成されるコール詳細情報記録（ＣＤＩＲ）の例示的な内容を示している。図示の例示的なＣＤＩＲは、装置から受け取ったＲＣＤＩメッセージ内の番号にマッチする発信コールログ内の３つの番号に関する情報を含む。図示の例では、コールの時刻及びアクティブなアプリケーションのリストが個々の番号ごとに報告されている。
【００３９】
サーバは、１又はそれ以上の装置から受信した（単複の）ＣＤＩＲ内の情報を使用して、個々の又は複数の広告に関するコールスルー率又はその他の有用な指標を効果的に判定することができる。
【００４０】
上述の実施形態は、本発明の用途を表すことができる考えられる特定の実施形態のほんのいくつかを例示したものであると理解されたい。当業者であれば、本発明の思想及び範囲から逸脱することなく、数多くの及び様々な他の構成を作り出すことができる。
【符号の説明】
【００４１】
１００  システム
１１０  無線インターフェイス
１２０  移動装置
１２５  コールスルー検出器
１３０  ネットワーク
１４０  サーバ
１４５  無線接続モジュール
１５０  オンライン広告インフラストラクチャ
１６０  広告主
【図１】
2011527148.tif 000003
【図２】
2011527148.tif 000004
【図３】
2011527148.tif 000005
【図４】
2011527148.tif 000006
【図５】
2011527148.tif 000007
【国際調査報告】
2011527148.tif 000008
2011527148.tif 000009
2011527148.tif 000010
2011527148.tif 000011